(57)【要約】      （修正有）【課題】血圧測定の測定場所を自動的に判定する電子血圧計を提供する。【解決手段】電子血圧計１０は、カフ５０を加圧して血圧測定を行う血圧測定部（血圧値演算部４３）と、ＧＰＳ衛星からの電波を受信するアンテナ７０と、アンテナにより受信されたＧＰＳ信号から、血圧測定が行われた位置を示す位置情報および時刻を示す時刻情報を取得するＧＰＳ情報取得部４４と、少なくとも位置情報を記憶する記憶部（メモリ３０）と、位置情報および時刻情報に基づいて、血圧測定の測定位置を判定する位置判定部４７とを有する。【選択図】図２
2015177913.tif 000002
【特許請求の範囲】
【請求項１】
カフを加圧して血圧測定を行う血圧測定部と、
ＧＰＳ衛星からの電波を受信するアンテナと、
前記アンテナにより受信されたＧＰＳ信号から、前記血圧測定が行われた位置を示す位置情報および時刻を示す時刻情報を取得する取得部と、
少なくとも前記位置情報を記憶する記憶部と、
前記位置情報および前記時刻情報に基づいて、前記血圧測定の測定場所を判定する位置判定部と、
を有することを特徴とする電子血圧計。
【請求項２】
前記記憶部は、前記時刻情報が基準時間帯の時刻を示すときの前記位置情報を、血圧測定の基準位置を示す基準位置情報として記憶し、
前記位置判定部は、前記基準位置情報と前記取得部が取得した前記位置情報との差に応じて、当該位置情報に対応する血圧測定が、第１位置と、当該第１位置とは異なる第２位置とのいずれで行われたかを判定する、請求項１に記載の電子血圧計。
【請求項３】
前記記憶部は、前記位置判定部による判定結果に応じて、血圧測定の測定値を、前記第１位置に対応する第１測定値または前記第２位置に対応する第２測定値として互いに区別して記憶する、請求項２に記載の電子血圧計。
【請求項４】
前記第１位置は使用者の自宅位置であり、
前記第２位置は使用者の職場位置であり、
前記第１測定値と前記第２測定値を比較することにより、使用者が職場高血圧であるか否かを判定する高血圧判定部をさらに有する、請求項３に記載の電子血圧計。
【請求項５】
前記高血圧判定部は、前記第２測定値の平均値が基準値以上でありかつ前記第１測定値の平均値より大きい場合に、使用者が職場高血圧であると判定する、請求項４に記載の電子血圧計。
【請求項６】
前記高血圧判定部は、前記第２測定値の平均値が基準値以上でありかつ前記第１測定値の平均値より大きく、さらに一定時間以上離れた連続する複数の第２測定値が基準値以上である場合に、使用者が職場高血圧であると判定する、請求項５に記載の電子血圧計。
【請求項７】
前記血圧測定部は、一定時間ごとに前記カフを加圧することにより使用者に血圧測定の時刻を報知する、請求項１〜６のいずれか一項に記載の電子血圧計。
【発明の詳細な説明】
【技術分野】
【０００１】
本発明は、電子血圧計に関する。
【背景技術】
【０００２】
例えば、起床直後に血圧が上昇する早朝高血圧であるか否かを識別できるように、朝と夜の時間帯に分けて測定値を記憶する血圧計が知られている（例えば、特許文献１を参照）。特許文献１の電子血圧計は、血圧のデータと血圧の測定時刻とを関連付けて記憶するメモリを有し、操作部を介して朝の時間帯または夜の時間帯が指定されると、その時間帯に該当する測定時刻に関連付けされた血圧のデータをメモリから読出して表示部に表示する。
【０００３】
また、使用者に測定条件を入力させることで、測定場所などの測定環境と測定結果とを対比できるようにした血圧計も知られている（例えば、特許文献２，３を参照）。特許文献２には、血圧測定時の測定条件を入力する入力手段と、入力された測定条件データを記憶する記憶手段と、測定条件データを出力する出力手段とを有する電子血圧計が記載されている。また、特許文献３には、血圧値などのユーザの生体情報を測定する生体情報測定手段と、家庭、病院、自動車内、屋外または職場といった測定場所の情報を入力する測定場所情報入力手段とを備える生体情報測定装置が記載されている。
【０００４】
ところで、家庭以外の場所で血圧が高くなる仮面高血圧という現象が知られている。仮面高血圧には、例えば、病院の先生の前で緊張して血圧が上がる白衣高血圧や、職場の人間関係、職務の不適正などにより生じる職場高血圧がある。このうち、白衣高血圧は、医師の前にいるときの高々数１０分間の短時間だけ起こる血圧上昇であるから、特に問題とされていない。これに対し、職場高血圧は、勤務時間内の数時間などの比較的長い時間に渡って起こる血圧上昇であるため、健康上問題視される。社会人は１日の大半を職場で過ごすため、職場高血圧の場合には、高血圧が持続される時間が長くなって腎臓などに負担がかかり、腎不全などを併発し易くなる。自宅や健康診断では正常血圧であっても、職場ではストレスや集中力などにより高血圧となる職場高血圧の人が３０％前後いると言われている。
【先行技術文献】
【特許文献】
【０００５】
【特許文献１】特許第４９０２１５３号公報
【特許文献２】実開昭６３−１３３２０６号公報
【特許文献３】特開２００３−０９３３５５号公報
【発明の概要】
【発明が解決しようとする課題】
【０００６】
例えば、手首式などの可搬性がある血圧計であれば、自宅だけでなく職場などにも携帯して、血圧を測定することができる。しかしながら、一般的な電子血圧計には、例えば個人別、朝夕の時間別などで測定データを記憶できるに過ぎず、自宅での測定値と職場での測定値の差を明確にできる機能が備わっていない。特許文献２，３の血圧計は、測定場所などの測定条件の入力が可能であるが、あくまで測定条件の記録が目的であり、自宅での測定値と職場での測定値の差を分析し使用者に報知するものではない。このように、測定場所に関係する職場高血圧の有無を自動判定できるような血圧計は、現時点で知られていない。
【０００７】
また、自宅と職場の両方で血圧を測定するには手首式などの小型の血圧計が適しているが、手首式血圧計は、小型であるために操作部の面積が限られている。このため、職場高血圧の判定機能を付加するために入力ボタンを増設したり、使用者に複雑なボタン操作を課したりすることは難しい。入力ボタンを増設したとしても、毎回測定場所の入力が必要であると使用者にとって煩雑であるため、自宅での測定値と職場での測定値を自動識別して記憶できるようにすることが望ましい。
【０００８】
そこで、本発明は、血圧測定の測定場所を自動的に判定する電子血圧計を提供することを目的とする。
【課題を解決するための手段】
【０００９】
本発明の電子血圧計は、カフを加圧して血圧測定を行う血圧測定部と、ＧＰＳ（Global Positioning System：全地球測位システム）（登録商標）衛星からの電波を受信するアンテナと、アンテナにより受信されたＧＰＳ信号から、血圧測定が行われた位置を示す位置情報および時刻を示す時刻情報を取得する取得部と、少なくとも位置情報を記憶する記憶部と、位置情報および時刻情報に基づいて、血圧測定の測定場所を判定する位置判定部とを有する。
【００１０】
上記の電子血圧計では、記憶部は、時刻情報が基準時間帯の時刻を示すときの位置情報を、血圧測定の基準位置を示す基準位置情報として記憶し、位置判定部は、基準位置情報と取得部が取得した位置情報との差に応じて、位置情報に対応する血圧測定が、第１位置と第１位置とは異なる第２位置とのいずれで行われたかを判定することが好ましい。
【００１１】
上記の電子血圧計では、記憶部は、位置判定部による判定結果に応じて、血圧測定の測定値を、第１位置に対応する第１測定値または第２位置に対応する第２測定値として互いに区別して記憶することが好ましい。
【００１２】
上記の電子血圧計では、第１位置は使用者の自宅位置であり、第２位置は使用者の職場位置であり、第１測定値と第２測定値を比較することにより、使用者が職場高血圧であるか否かを判定する高血圧判定部をさらに有することが好ましい。
【００１３】
上記の電子血圧計では、高血圧判定部は、第２測定値の平均値が基準値以上でありかつ第１測定値の平均値より大きい場合に、使用者が職場高血圧であると判定することが好ましい。
【００１４】
上記の電子血圧計では、高血圧判定部は、第２測定値の平均値が基準値以上でありかつ第１測定値の平均値より大きく、さらに一定時間以上離れた連続する複数の第２測定値が基準値以上である場合に、使用者が職場高血圧であると判定することが好ましい。
【００１５】
上記の電子血圧計では、血圧測定部は、一定時間ごとにカフを加圧することにより使用者に血圧測定の時刻を報知することが好ましい。
【発明の効果】
【００１６】
上記の電子血圧計によれば、血圧測定の測定場所を自動的に判定することが可能になる。
【図面の簡単な説明】
【００１７】
【図１】血圧計１０の斜視図である。
【図２】血圧計１０の概略ブロック図である。
【図３】表示部２１の表示例を示した図である。
【図４】制御部４０による位置判定処理の例を示すフローチャートである。
【図５】制御部４０による職場高血圧判定処理の例を示すフローチャートである。
【図６】血圧測定データの例とメモリ３０のデータ構造の例を示す図ある。
【発明を実施するための形態】
【００１８】
以下、図面を参照しつつ、電子血圧計について説明する。ただし、本発明が図面または以下に記載される実施形態に限定されるものではないことを理解されたい。
【００１９】
この電子血圧計は、例えば手首式などの可搬性のある血圧計であり、使用者が例えば自宅だけでなく職場にも持ち込んで、一定時間ごとに取り出して使用することを想定する。この電子血圧計は、測定時に、ＧＰＳ信号から測定位置の情報と測定時刻の情報を取得し、それらの情報に基づいて、測定位置が例えば使用者の自宅と職場のいずれであるかを判定する。また、この電子血圧計は、自宅での測定値と職場での測定値とをそれぞれ区別してメモリに記憶し、それらの平均値の差などを算出することで、使用者が職場高血圧であるか否かを判定する。
【００２０】
図１は、血圧計１０の斜視図である。血圧計１０は、本体２０およびカフ５０により構成される。カフ５０は、図示しない空気袋を内蔵し、所定のベルトによって使用者の手首または上腕部などの被測定部に固定される。血圧計１０は、カフ５０を加圧する過程で使用者の血圧を測定する血圧計でもよいし、カフ５０を減圧する過程で血圧測定を行う血圧計であってもよい。なお、図１では手首に装着するタイプの電子血圧計を示しているが、それに限定されるものではない。
【００２１】
本体２０は、少なくとも、表示部２１および操作部２２を有する。表示部２１は、例えば液晶表示パネルで構成され、最高血圧値および最低血圧値の測定結果や、測定結果が基準範囲内であるか否かなどを表示する。
【００２２】
操作部２２は、測定／停止ボタン２２−１と、メモリボタン２２−２とを有する。測定／停止ボタン２２−１は、測定の開始／停止を指示するためのボタンである。メモリボタン２２−２は、例えば、本体２０内のメモリ３０（図２を参照）に測定値を記憶させたり、メモリ３０に記憶されている測定値を表示部２１に表示させたりする指示を入力するためのボタンである。
【００２３】
図２は、血圧計１０の概略ブロック図である。本体２０は、表示部２１と、操作部２２と、加圧ポンプ２３と、駆動回路２４と、圧力センサ２５と、検知回路２６と、強制排気弁２７と、駆動回路２８と、メモリ３０と、制御部４０と、出力用端子６０と、ＧＰＳアンテナ７０とを有する。
【００２４】
加圧ポンプ２３は、例えば圧電ポンプで構成され、カフ５０に空気を送り込むことによりカフ５０の内部を加圧する。駆動回路２４は、制御部４０から与えられる制御信号に基づいて、加圧ポンプ２３を駆動する。
【００２５】
圧力センサ２５は、カフ５０に設けられた空気袋内の圧力を検出して電気信号に変換するセンサであり、圧力検出信号を検知回路２６に出力する。検知回路２６は、例えば圧力センサ２５から取得した圧力検出信号を周波数信号に変換して、制御部４０に出力する。カフ５０内の圧力は、この周波数の変化から算出される。
【００２６】
強制排気弁２７は、例えば測定終了時または中止時にカフ５０内の空気を強制排気する電磁弁で構成される。駆動回路２８は、制御部４０から与えられる制御信号に基づいて、強制排気弁２７を開閉させる。
【００２７】
メモリ３０は、血圧計１０の動作に必要な情報を記憶する。例えば、メモリ３０は、使用者の自宅位置を示す位置情報（緯度および経度）を、自宅位置情報として記憶する。この自宅位置情報は、基準位置情報の一例である。また、メモリ３０は、使用者が血圧値の変化の傾向を把握できるように、最高血圧値および最低血圧値の測定値の履歴を記憶する。メモリ３０は、測定が行われた日時と、測定が使用者の自宅と職場のいずれで行われたかを示す情報とを、各測定値に対応付けて記憶する。
【００２８】
出力用端子６０は、例えばＵＳＢケーブルの接続端子であり、メモリ３０に記憶されている血圧の測定値を、ＰＣ、プリンタなどの外部装置に出力する際に使用される。
【００２９】
ＧＰＳアンテナ７０は、ＧＰＳ衛星からの電波を受信するためのアンテナである。
【００３０】
制御部４０は、ＣＰＵ、ＲＡＭおよびＲＯＭなどを含む制御回路として構成される。制御部４０は、機能ブロックとして、加圧制御部４１と、排気制御部４２と、血圧値演算部４３と、ＧＰＳ情報取得部４４と、位置情報判別部４５と、時刻情報判別部４６と、位置判定部４７と、高血圧判定部４８と、表示制御部４９とを有する。
【００３１】
加圧制御部４１は、圧力センサ２５により検出される圧力が所定の加圧上限圧力になるまでカフ５０を加圧するように、駆動回路２４を制御する。
【００３２】
排気制御部４２は、強制排気弁２７の開閉を制御するための制御信号を駆動回路２８に与えて、強制排気弁２７によるカフ５０内の空気の排気を制御する。
【００３３】
血圧値演算部４３は、例えば、加圧ポンプ２３によりカフ圧が加圧上限圧力になるまで加圧された後で、強制排気弁２７によりカフ５０が減圧されるときに、使用者の血圧値を測定する。血圧値演算部４３は、検知回路２６が生成した周波数信号の周波数の変化から検出される各脈波の開始圧力値やその測定時間などのデータに基づき、例えばオシロメトリック方式を利用して、使用者の最高血圧値と最低血圧値を算出する。加圧ポンプ２３、駆動回路２４、圧力センサ２５、検知回路２６、強制排気弁２７、駆動回路２８、加圧制御部４１、排気制御部４２および血圧値演算部４３は、血圧測定部の一例である。
【００３４】
ＧＰＳ情報取得部４４は、血圧値演算部４３が血圧測定を行ったときに、ＧＰＳアンテナ７０により受信されたＧＰＳ信号から、血圧測定が行われた位置を示す位置情報および時刻を示す時刻情報を取得する。この位置情報は、測定時の血圧計１０の緯度および経度を示す情報である。なお、ＧＰＳ情報取得部４４は、取得部の一例である。
【００３５】
位置情報判別部４５は、ＧＰＳ情報取得部４４が取得した位置情報が、メモリ３０に記憶されている自宅位置情報と同じ位置を示すか否かを判別する。その際、位置情報判別部４５は、ＧＰＳ情報取得部４４の位置情報とメモリ３０の自宅位置情報との差が、例えば緯度１秒以内（約３１ｍ以内）であり、かつ経度１秒以内（約２５ｍ以内）であれば、判別対象の位置は自宅と「同じ場所」であると判別する。また、位置情報判別部４５は、緯度と経度の少なくとも何れか一方について、ＧＰＳ情報取得部４４の位置情報とメモリ３０の自宅位置情報との差が例えば１秒を超える場合には、判別対象の位置は自宅とは「別の場所」であると判別する。
【００３６】
時刻情報判別部４６は、例えば、ＧＰＳ情報取得部４４が取得した時刻情報が朝、昼または夜のいずれの時間帯に含まれるかを判別する。血圧計１０では、例えば、６時００分〜８時５９分の時間帯を「朝」、９時００分〜１６時５９分の時間帯を「日中」、１７時００分〜翌日５時５９分の時間帯を「夜」として、１日を３つに分類する。なお、この分類は一例であり、別の分類方法を使用してもよい。
【００３７】
位置判定部４７は、血圧測定の測定場所を判定する。具体的には、位置判定部４７は、自宅位置情報とＧＰＳ情報取得部４４が取得した位置情報との差に応じて、血圧測定が使用者の自宅と職場のいずれで行われたかを判定する。使用者の自宅位置は第１位置の一例であり、使用者の職場位置は第２位置の一例である。その際、位置判定部４７は、位置情報判別部４５と時刻情報判別部４６による判別結果を用いて、下記の基準により測定場所を判定する。そして、位置判定部４７は、血圧値演算部４３により得られた最高血圧値と最低血圧値を、判定結果に応じて自宅測定値または職場測定値として、メモリ３０内に区別して（例えば、自宅メモリ部分と職場メモリ部分に振り分けて）記憶させる。自宅測定値は、第１位置に対応する第１測定値の一例であり、職場測定値は、第２位置に対応する第２測定値の一例である。
【００３８】
例えば、時刻情報判別部４６が測定時刻を「朝」と判別した場合には、位置判定部４７は、その測定位置を使用者の「自宅」と判定する。その際、位置判定部４７は、対応する位置情報を自宅位置情報としてメモリ３０に記憶させる。すなわち、位置判定部４７は、「朝」を基準時間帯として、そのときの位置情報が示す位置を測定場所の判定の起点とする。
【００３９】
また、時刻情報判別部４６が測定時刻を「日中」と判別した場合には、位置判定部４７は、下記の基準により測定場所を判定する。位置情報判別部４５が判別対象の位置を起点と「別の場所」であると判別したならば、位置判定部４７は、その場所を使用者の「職場」と判定する。すなわち、位置判定部４７は、使用者が職場に移動して測定を行ったと判定する。また、位置情報判別部４５が判別対象の位置を起点と「同じ場所」であると判別したならば、位置判定部４７は、その場所を使用者の「自宅」と判定する。これは、例えば、使用者が休日に測定を行った場合に相当する。
【００４０】
また、時刻情報判別部４６が測定時刻を「夜」と判別した場合には、位置判定部４７は、下記の基準により測定場所を判定する。位置情報判別部４５が判別対象の位置を起点と「同じ場所」であると判別したならば、位置判定部４７は、その場所を使用者の「自宅」と判定する。すなわち、位置判定部４７は、使用者が帰宅して測定を行ったと判定する。また、位置情報判別部４５が判別対象の位置を起点と「別の場所」であると判別したならば、位置判定部４７は、その場所を使用者の「職場」と判定する。これは、例えば、使用者が残業中に測定を行った場合に相当する。
【００４１】
なお、上記の基準では、「朝」と判定されたときの測定位置を使用者の「自宅」と判定しているが、使用者の生活スタイルに応じて、「朝」以外の時間帯における測定位置を起点としてもよい。
【００４２】
高血圧判定部４８は、自宅で測定されたと位置判定部４７が判定して記憶された自宅測定値と、職場で測定されたと位置判定部４７が判定して記憶された職場測定値とを比較することにより、使用者が職場高血圧であるか否かを判定する。その際、高血圧判定部４８は、例えば、直近２４時間または直近１週間などの予め定められた長さの期間に渡って、メモリ３０に記憶されている自宅での最高血圧値の平均値と、職場での最高血圧値の平均値とをそれぞれ算出する。そして、高血圧判定部４８は、例えば、算出した職場での最高血圧値の平均値が基準値以上であり、かつ自宅での最高血圧値の平均値より大きい場合に、使用者が職場高血圧であると判定する。また、高血圧判定部４８は、算出した職場での最高血圧値の平均値が基準値未満であるか、または自宅での最高血圧値の平均値以下である場合に、使用者は職場高血圧でないと判定する。日本高血圧学会による血圧区分では、最高血圧値１４０ｍｍＨｇ未満かつ最低血圧値９０ｍｍＨｇ未満を正常な範囲としているので、高血圧判定部４８は、例えば基準値として１４０ｍｍＨｇを使用する。
【００４３】
あるいは、高血圧判定部４８は、自宅より血圧が上昇する時間幅もさらに加味して、職場高血圧の判定を行ってもよい。高血圧判定部４８は、例えば、職場測定値の平均値が基準値以上でありかつ自宅測定値の平均値より大きく、さらに一定時間以上離れた連続する複数の職場測定値が基準値以上である場合に、使用者が職場高血圧であると判定してもよい。高血圧判定部４８は、例えば、職場での最高血圧値の平均値が１４０ｍｍＨｇ以上でありかつ自宅での最高血圧値の平均値より大きく、さらに、メモリ３０に記憶されている直近２４時間以内といった一定期間内の職場での最高血圧値のうち、１時間以上経過して測定された２点以上の測定値がいずれも１４０ｍｍＨｇ以上である場合に、使用者が職場高血圧であると判定してもよい。また、高血圧判定部４８は、職場での最高血圧値の平均値が１４０ｍｍＨｇ以上でありかつ自宅での最高血圧値の平均値より大きくても、「１時間以上経過して測定された２点以上の職場測定値がいずれも１４０ｍｍＨｇ以上である」という条件を満たさない場合には、使用者が職場高血圧でないと判定してもよい。
【００４４】
表示制御部４９は、血圧値演算部４３により測定された最高血圧値および最低血圧値、位置判定部４７による測定場所の判定結果（自宅と職場のいずれであるか）などを表示部２１に表示させる。また、表示制御部４９は、測定動作が行われていないときにメモリボタン２２−２が押下されると、本体２０内のメモリ３０に記憶されている職場測定値と自宅測定値を表示部２１に表示させる。使用者が職場高血圧であると高血圧判定部４８が判定した場合には、表示制御部４９は、例えば、使用者が職場高血圧傾向であることを表す警告マークを表示部２１に点燈させる。
【００４５】
図３は、表示部２１の表示例を示した図である。図示するように、表示部２１には、血圧の測定時刻と、測定された最高血圧値および最低血圧値が表示される。また、表示部２１には、位置判定部４７が測定位置を自宅と職場のいずれであると判定したかを示す位置マーク２１Ａが表示される。さらに、使用者が職場高血圧であると高血圧判定部４８が判定したときには、表示部２１には、その旨を示す警告マーク２１Ｂも点燈される。使用者が職場高血圧でないと高血圧判定部４８が判定したときには、警告マーク２１Ｂは点燈しない。図示した例では、測定位置が自宅と判定され、使用者が職場高血圧であると判定されたことが示されている。なお、使用者が職場高血圧でないと高血圧判定部４８が判定したときには、その旨を示す別のマークを点燈させてもよい。
【００４６】
図４は、制御部４０による位置判定処理の例を示すフローチャートである。図４に示す処理フローは、制御部４０のＲＯＭに予め記録されているプログラムに従って、制御部４０のＣＰＵが実行する。
【００４７】
まず、ＧＰＳ情報取得部４４は、血圧値演算部４３が血圧測定を行ったときに、ＧＰＳ信号から測定時の位置情報および時刻情報を取得する（ステップＳ１１）。そして、時刻情報判別部４６は、ＧＰＳ情報取得部４４が取得した時刻情報が示す測定時刻が朝、昼または夜のいずれの時間帯に含まれるかを判別する（ステップＳ１２）。
【００４８】
ステップＳ１２で測定時刻が「朝」であると判別された場合には、位置判定部４７は、ステップＳ１１で取得された位置情報が示す位置を使用者の「自宅」（起点）と判定する（ステップＳ１３）。さらに、位置判定部４７は、ステップＳ１１で取得された位置情報を自宅位置情報としてメモリ３０に記憶させる（ステップＳ１４）。
【００４９】
ステップＳ１２で測定時刻が「日中」であると判別された場合には、位置情報判別部４５は、ステップＳ１１で取得された位置情報が自宅位置情報と「同じ場所」を示すか否かを判別する（ステップＳ１５）。ステップＳ１１で取得された位置情報が自宅位置情報と「同じ場所」を示すと判別された場合（ステップＳ１５でＹｅｓ）には、位置判定部４７は、その場所を使用者の「自宅」と判定する（ステップＳ１６）。一方、ステップＳ１１で取得された位置情報が自宅位置情報と「別の場所」を示すと判別された場合（ステップＳ１５でＮｏ）には、位置判定部４７は、その場所を使用者の「職場」と判定する（ステップＳ１７）。
【００５０】
ステップＳ１２で測定時刻が「夜」であると判別された場合には、位置情報判別部４５は、ステップＳ１１で取得された位置情報が自宅位置情報と「同じ場所」を示すか否かを判別する（ステップＳ１８）。ステップＳ１１で取得された位置情報が自宅位置情報と「同じ場所」を示すと判別された場合（ステップＳ１８でＹｅｓ）には、位置判定部４７は、その場所を使用者の「自宅」と判定する（ステップＳ１９）。一方、ステップＳ１１で取得された位置情報が自宅位置情報と「別の場所」を示すと判別された場合（ステップＳ１８でＮｏ）には、位置判定部４７は、その場所を使用者の「職場」と判定する（ステップＳ２０）。以上で、位置判定処理は終了する。
【００５１】
図５は、制御部４０による職場高血圧判定処理の例を示すフローチャートである。図５に示す処理フローは、制御部４０のＲＯＭに予め記録されているプログラムに従って、制御部４０のＣＰＵが実行する。
【００５２】
まず、高血圧判定部４８は、メモリ３０に記憶されている直近２４時間の自宅での最高血圧値の平均値と、職場での最高血圧値の平均値とをそれぞれ算出する（ステップＳ３１）。そして、高血圧判定部４８は、ステップＳ３１で算出した職場での平均値が１４０ｍｍＨｇ以上であり、かつ自宅での平均値より大きいか否かを判定する（ステップＳ３２）。
【００５３】
「職場平均＞自宅平均」かつ「職場平均≧１４０ｍｍＨｇ」を満たす場合（ステップＳ３２でＹｅｓ）には、高血圧判定部４８は、さらに、１時間以上経過して測定された２点以上の職場での最高血圧値がいずれも１４０ｍｍＨｇ以上であるか否かを判定する（ステップＳ３３）。１時間以上経過して測定された２点以上の職場での最高血圧値がいずれも１４０ｍｍＨｇ以上である場合（ステップＳ３３でＹｅｓ）には、高血圧判定部４８は、使用者が職場高血圧であると判定する（ステップＳ３４）。このとき、表示制御部４９が警告マークを表示部２１に点燈させて（ステップＳ３５）、職場高血圧判定処理は終了する。
【００５４】
一方、「職場平均≦自宅平均」もしくは「職場平均＜１４０ｍｍＨｇ」ある（ステップＳ３２でＮｏ）か、または「１時間以上経過して測定された２点以上の職場測定値がいずれも１４０ｍｍＨｇ以上である」という条件を満たさない場合（ステップＳ３３でＮｏ）には、高血圧判定部４８は、使用者が職場高血圧でないと判定する（ステップＳ３６）。この場合は、表示制御部４９が警告マークを表示部２１に点燈させずに、職場高血圧判定処理は終了する。
【００５５】
なお、上記で説明したように、図５のフローにおけるステップＳ３３の処理は省略してもよい。
【００５６】
図６（Ａ）および図６（Ｂ）は、それぞれ、血圧測定データの例とメモリ３０のデータ構造の例を示す図ある。図６（Ａ）には、１日に血圧測定１〜４の４回の測定が行われた場合の例を示している。この場合の血圧計１０の動作について、以下で説明する。
【００５７】
まず、１回目の測定結果が、最高血圧値１２６ｍｍＨｇ、最低血圧値７８ｍｍＨｇであったとする。そして、１回目の測定時にＧＰＳ信号から取得された時刻情報が６時３０分であり、位置情報が緯度３５度５０分３４秒、経度１３９度２０分０３秒であったとする。このとき、時刻は６時００分〜８時５９分に含まれるので、時刻情報判別部４６は「朝」の時間帯であると判別する。また、「朝」の１回目の測定であるため、位置判定部４７は、この位置情報を自宅位置情報としてメモリ３０に記憶させる。このとき、位置判定部４７は、測定結果の最高血圧値、最低血圧値および測定時刻を、自宅測定値としてメモリ３０内の自宅メモリ部分に記憶させる。
【００５８】
また、２回目の測定結果が、最高血圧値１２５ｍｍＨｇ、最低血圧値７６ｍｍＨｇであったとする。そして、２回目の測定時にＧＰＳ信号から取得された時刻情報が６時３５分であり、位置情報が緯度３５度５０分３４秒、経度１３９度２０分０３秒であったとする。このとき、時刻は６時００分〜８時５９分に含まれるので、時刻情報判別部４６は「朝」の時間帯であると判別する。また、位置情報判別部４５は、測定時の位置情報と自宅位置情報との緯度差が０であり、かつ経度差が０であるため、測定位置を起点と「同じ場所」であると判別する。したがって、位置判定部４７は、測定位置を「自宅」であると判定する。このとき、位置判定部４７は、測定結果の最高血圧値、最低血圧値および測定時刻を、自宅測定値としてメモリ３０内の自宅メモリ部分に追記する。
【００５９】
また、３回目の測定結果が、最高血圧値１４９ｍｍＨｇ、最低血圧値９８ｍｍＨｇであったとする。そして、３回目の測定時にＧＰＳ信号から取得された時刻情報が１０時３分であり、位置情報が緯度３５度４３分３９秒、経度１３９度３１分５８秒であったとする。このとき、時刻は９時００分〜１６時５９分に含まれるので、時刻情報判別部４６は「日中」の時間帯であると判別する。また、位置情報判別部４５は、測定時の位置情報と自宅位置情報との緯度差が６分５５秒、経度差が−１１分５５秒であり、ともに±１秒以上であるため、測定位置を起点とは「別の場所」であると判別する。したがって、位置判定部４７は、現在位置を「職場」であると判定する。このとき、位置判定部４７は、測定結果の最高血圧値、最低血圧値および測定時刻を、職場測定値としてメモリ３０内の職場メモリ部分に記憶させる。
【００６０】
また、４回目の測定結果が、最高血圧値１５３ｍｍＨｇ、最低血圧値９５ｍｍＨｇであったとする。そして、４回目の測定時にＧＰＳ信号から取得された時刻情報が１５時１５分であり、位置情報が緯度３５度４３分３９秒、経度１３９度３１分５８秒であったとする。このとき、時刻は９時００分〜１６時５９分に含まれるので、時刻情報判別部４６は「日中」の時間帯であると判別する。また、位置情報判別部４５は、現在の位置情報と自宅位置情報との緯度差が６分５５秒、経度差が−１１分５５秒であり、ともに±１秒以上であるため、現在位置を起点とは「別の場所」であると判別する。したがって、位置判定部４７は、現在位置を「職場」であると判定する。このとき、位置判定部４７は、測定結果の最高血圧値、最低血圧値および測定時刻を、職場測定値としてメモリ３０内の職場メモリ部分に追記する。
【００６１】
以上の結果、図６（Ｂ）に示すように、メモリ３０には、使用者の自宅で行われたと位置判定部４７が判定した血圧測定の測定値が、自宅測定値として記憶される。また、使用者の職場で行われたと位置判定部４７が判定した血圧測定の測定値が、職場測定値として、自宅測定値とは区別して記憶される。
【００６２】
次に、図６（Ａ）の例における高血圧判定部４８の動作について説明する。
【００６３】
まず、高血圧判定部４８は、メモリ３０の自宅メモリ部分に記憶されている自宅測定値について、平均値を算出する。
（自宅での最高血圧値の平均）＝（１２６＋１２５）／２＝１２５．５ｍｍＨｇ
（自宅での最低血圧値の平均）＝（７８＋７６）／２＝７７．０ｍｍＨｇ
同様に、高血圧判定部４８は、メモリ３０の職場メモリ部分に記憶されている職場測定値について、平均値を算出する。
（職場での最高血圧値の平均）＝（１４９＋１５３）／２＝１５１．０ｍｍＨｇ
（職場での最低血圧値の平均）＝（９８＋９５）／２＝９６．５．ｍｍＨｇ
【００６４】
この場合、「職場での最高血圧値の平均１５１．０ｍｍＨｇ＞自宅での最高血圧値の平均１２５．５ｍｍＨｇ」であり、かつ、「職場での最高血圧値の平均１５１．０ｍｍＨｇ≧１４０ｍｍＨｇ」である。したがって、高血圧判定部４８は、使用者が職場高血圧であると判定する。
【００６５】
以上説明してきたように、血圧計１０は、測定時に、ＧＰＳ信号から測定位置の情報と測定時刻の情報を取得し、それらの情報に基づいて、測定位置が使用者の自宅と職場のいずれであるかを判定する。さらに、血圧計１０は、自宅での測定値と職場での測定値とをそれぞれ区別してメモリ３０に記憶し、それらの平均値の差などを算出することで、使用者が職場高血圧であるか否かを判定する。これにより、専用ボタンを設けて使用者に測定位置を入力させることなく、測定位置が自宅と職場のいずれであるかと、使用者が職場高血圧であるか否かを判定することが可能になる。
【００６６】
なお、血圧の測定場所は、職場以外、例えば通学先など、使用者が定期的に行き来する２つの場所であればどのような場所であってもよい。例えば、第１位置は、使用者の滞在先など、自宅以外の場所であってもよいし、第２位置は、通学先など、職場以外の場所であってもよい。
【００６７】
また、上記の説明では、「朝」の時間帯の測定位置（自宅）を測定場所の判定の起点としたが、例えば、「日中」の時間帯の測定位置（職場）を起点としてもよい。すなわち、時刻情報判別部４６が測定時刻を「日中」と判別したときの対応する位置情報（職場位置情報）を、基準位置情報としてもよい。
【００６８】
上記のように職場高血圧の判定を行うには、使用者が一定時間ごとに継続して血圧測定を行うことが好ましい。そこで、血圧計１０は、一定時間ごとにアラートを出すことにより、使用者に血圧測定を促してもよい。この場合、例えばブザー音によるアラートでは、職場において周辺に迷惑がかかるおそれがあるため、音が出ない振動報知を使用することが好ましい。例えば、血圧計１０は、加圧制御部４１による制御の下で、一定時間ごとに加圧ポンプ２３を駆動してカフ５０を短時間加圧することにより、振動を発生させて使用者に血圧測定の時刻を報知してもよい。
【００６９】
また、血圧計１０にはメモリボタン２２−２が１つだけ設けられているが、自宅測定値用（朝夕の測定値用のメモリボタン）と、職場測定値用（日中の測定値用）のメモリボタンの２つを設けてもよい。そして、測定動作が行われていないときにいずれかのメモリボタンが押下されると、そのボタンに対応する自宅測定値または職場測定値が表示部２１に表示されるようにしてもよい。
【符号の説明】
【００７０】
１０    血圧計
２０    本体
２１    表示部
２２    操作部
３０    メモリ
４０    制御部
４３    血圧値演算部
４４    ＧＰＳ情報取得部
４５    位置情報判別部
４６    時刻情報判別部
４７    位置判定部
４８    高血圧判定部
５０    カフ
７０    ＧＰＳアンテナ
【図１】
2015177913.tif 000003
【図２】
2015177913.tif 000004
【図３】
2015177913.tif 000005
【図４】
2015177913.tif 000006
【図５】
2015177913.tif 000007
【図６】
2015177913.tif 000008